(57)【要約】【課題】デジタルカメラとプリンタドックの無線通信を簡易に確立する。【解決手段】デジタルカメラ１０のプロセッサ１０ｆは、通信回路１０ｅを介して通信可能範囲内にあるプリンタドック１２を検出し、そのＩＤを取得する。プロセッサ１０ｆは、取得したＩＤを用いて順次電力送信要求をプリンタドック１２に送信する。プリンタドック１２は、この要求に応じて送信回路１２ｂ及び送信コイル１２ｃから電力を無線送信する。受信コイル１０ａで電力を受信した場合、そのプリンタドック１２を通信相手先として特定し、特定したプリンタドック１２のＩＤを用いて撮像データを無線送信する。【選択図】図２
2006229583.tif 000002
【特許請求の範囲】
【請求項１】
携帯端末装置と、
基地局装置と、
を有し、前記携帯端末装置と前記基地局装置との間でデータ通信を行う通信システムであって、
前記基地局装置は、
前記携帯端末装置に無線で電力を送信する電力送信手段と、
前記携帯端末装置とデータ送受する基地局側通信手段と、
を有し、前記携帯端末装置は、
前記基地局装置から無線送信された電力を受信する電力受信手段と、
前記基地局装置とデータ送受する端末側通信手段と、
前記基地局側装置に送信すべきデータを記憶するデータ記憶手段と、
を有し、
前記端末側通信手段は、前記基地局側通信手段に対して電力送信要求コマンドを送信し、
前記電力送信手段は、前記基地局側通信手段が前記端末側通信手段からの前記電力送信要求コマンドを受信した場合に無線で電力を送信し、
前記端末側通信手段は、前記基地局装置から無線送信された電力を前記電力受信手段で受信した場合に、前記基地局装置に対して前記データ記憶手段に記憶されたデータを送信する
ことを特徴とする通信システム。
【請求項２】
請求項１記載のシステムにおいて、
前記携帯端末装置は、さらに、
前記端末側通信手段によってデータ通信可能な範囲内に存在する基地局装置を検出してその基地局毎に異なった識別データを取得する識別データ取得手段
を有し、前記基地局装置は、さらに、
自己の識別データを記憶する識別データ記憶手段
を有し、
前記端末側通信手段は、前記識別データ取得手段で取得した識別データを用いて前記基地局側通信手段に対して電力送信要求コマンドを順次送信し、
前記電力送信手段は、前記端末側通信手段からの自己の識別データを含む前記電力送信要求コマンドを受信した場合に無線で電力を送信し、
前記端末側通信手段は、前記基地局装置から無線送信された電力を前記電力受信手段で受信した場合に、電力送信元の基地局装置の前記識別データを用いてデータ通信先を設定し、前記基地局装置に対して前記データ記憶手段に記憶されたデータを送信する
ことを特徴とする通信システム。
【請求項３】
デジタルカメラに記憶された撮像データをドック装置に送信する通信システムであって、
該ドック装置は、
前記デジタルカメラに無線で電力を送信する電力送信手段と、
前記デジタルカメラとデータ送受するドック側通信手段と、
自己のＩＤを記憶するＩＤ記憶手段と、
前記デジタルカメラから送信された撮像データを印刷または記憶する手段と、
を有し、前記デジタルカメラは、
前記ドック装置から無線送信された電力を受信する電力受信手段と、
前記ドック装置とデータ送受するカメラ側通信手段と、
前記ドック装置に送信すべき撮像データを記憶する撮像データ記憶手段と、
データ通信可能な範囲内に存在するドック装置を検出してそのＩＤを取得するＩＤ取得手段と、
を有し、
前記カメラ側通信手段は、前記ＩＤ取得手段で取得したＩＤを用いて前記ドック装置に対して電力送信要求コマンドを順次送信し、
前記電力送信手段は、前記ドック側通信手段で前記カメラ側通信手段からの前記電力送信要求コマンドを受信した場合に無線で電力を送信し、
前記カメラ側通信手段は、前記ドック装置から無線送信された電力を前記電力受信手段で受信した場合に、電力送信元のドック装置の前記ＩＤを用いてデータ通信先を設定し、前記ドック装置に対して前記撮像データ記憶手段に記憶された撮像データを送信する
ことを特徴とする通信システム。
【請求項４】
ドック装置とデータ通信を行うデジタルカメラであって、
無線送信された電力を受信する電力受信手段と、
データ通信可能な範囲内に存在するドック装置を検出してそのＩＤを取得するＩＤ取得手段と、
前記ＩＤ取得手段で取得したＩＤを用いて前記ドック装置に対して電力送信要求コマンドを順次送信し、前記電力送信要求コマンドに応じて送信された電力を前記電力受信手段で受信した場合に、電力を送信してきた前記ドック装置の前記ＩＤを用いてデータ通信すべきドック装置を特定し、特定したドック装置に撮像データを送信するデータ通信手段と、
を有することを特徴とするデジタルカメラ。
【請求項５】
デジタルカメラに対して電力を供給するとともに前記デジタルカメラ内の撮像データを入力して印刷または記憶するドック装置であって、
自己のＩＤを記憶するＩＤ記憶手段と、
前記デジタルカメラからの要求に応じて前記ＩＤを送信する手段と、
前記ＩＤを特定した電力送信要求に応じて前記デジタルカメラに電力を無線送信する電力送信手段と、
前記電力を受信したデジタルカメラから送信された、前記ＩＤを特定した前記撮像データを受信する手段と、
前記撮像データを印刷または記憶する手段と、
を有することを特徴とするドック装置。
【請求項６】
請求項３記載のシステムにおいて、
前記デジタルカメラは、さらに内蔵二次電池の残容量を検出する手段を有し、
前記カメラ側通信手段は、前記残容量が前記撮像データの送信に必要な容量以上である場合に前記撮像データを送信し、データ通信に必要な容量より小さい場合に前記データ通信先として設定された前記ドック装置からの電力により前記内蔵二次電池が前記撮像データの送信に必要な容量以上の充電に達した後に前記撮像データを送信する
ことを特徴とする通信システム。
【請求項７】
請求項４記載のデジタルカメラにおいて、さらに、
内蔵二次電池の残容量を検出する手段
を有し、前記データ通信手段は、前記残容量が前記撮像データの送信に必要な容量以上である場合に前記撮像データを送信し、データ通信に必要な容量より小さい場合に前記特定した前記ドック装置からの電力により前記内蔵二次電池が前記撮像データの送信に必要な容量以上の充電に達した後に前記撮像データを送信する
ことを特徴とするデジタルカメラ。
【発明の詳細な説明】
【技術分野】
【０００１】
本発明は通信システムに関し、特にデジタルカメラ等の携帯端末装置とドック装置（例えばプリンタドック）等の基地局装置との間のデータ送受に関する。
【背景技術】
【０００２】
デジタルカメラには、ニッケル水素電池（Ｎｉ−ＭＨバッテリ）やリチウムイオン電池（Ｌｉ−ｉｏｎバッテリ）等の二次電池が組み込まれており、外部電源から電力を供給して充電を行う。デジタルカメラをプリンタドックにセットするだけで簡易にデジタルカメラで撮影した画像を印刷出力できたり、ドック装置内の大容量記憶装置に撮影したデータを記憶するシステムが提案されており、これらのシステムではデジタルカメラのメモリに格納された画像データは、デジタルカメラからドック装置側に接続端子を介して送信される。しかしながら、ＷｉＦｉやブルートゥース（登録商標）等の無線通信技術の進展とともに、撮像データの送信も無線で行うことが考えられる。撮像データを無線で送信するには、デジタルカメラが送信相手先のドック装置を一義的に特定する必要がある。
【０００３】
下記の特許文献には、携帯電話機とパーソナルコンピュータ間で無線通信を行う技術が提案されている。携帯電話機には、パーソナルコンピュータのリーダライタと無線通信する非接触ＩＣカードが設けられる。ユーザが携帯電話機をパーソナルコンピュータに近接させ、リーダライタから送信される電磁波が非接触ＩＣカードで受信されると、携帯電話機は非接触ＩＣカードに設定されているカードＩＣをパーソナルコンピュータに通知する。パーソナルコンピュータは、携帯電話機とＰＤＡとの間でピコネット内同期を確立し、携帯電話機とＰＤＡのブルートゥースデバイス名を取得したとき、カードＩＣとして予め通知されているデバイス名に基づいて、携帯電話機を通信相手として特定する。この技術では、電力伝送手段は通信相手を特定する目的のみに用いられている。
【０００４】
【特許文献１】特開２００３−３２１７５号公報
【発明の開示】
【発明が解決しようとする課題】
【０００５】
一般に、ブルートゥース等の無線通信方式では、各機器に割り当てられた固有のＩＤを双方が相手側の機器に認識させ、送信する側はその送信先ＩＤを情報パケットの中に埋め込んだり、ＩＤ等のセキュリティコードで暗号化する等して送信し、受信した側は自己のＩＤで情報を選別、あるいは復号化することで意図しない機器が情報を受信しないようにセキュリティを確保している。
【０００６】
しかしながら、デジタルカメラをはじめとする多くの携帯端末装置では、パーソナルコンピュータと異なり携帯性が重要視されるため、ＩＤ入力のためのテンキー等の操作部材も、入力されたＩＤを見やすく表示するための大きな表示部材も備えていない場合が多く、そのまま使用するのは困難であり、送信先の入力を誤る可能性が大である。特にデジタルカメラで得られた撮像データ等の個人情報に密接に関連したデータを無線送信する際にはプライバシーに関わるため、セキュリティを確保する必要があり、かつ、意図しない送信先への送信は大きな問題に発展する可能性があるため、送信先を正確に指定する必要がある。
【０００７】
本発明の目的は、デジタルカメラ等の携帯端末装置からデータを無線送信する場合にも、確実にセキュリティを確保し、かつ意図しない送信先への送信を防止できるシステムを提供することにある。このシステムはさらに、携帯端末装置に電源を供給するように構成することも可能である。つまりユーザはデジタルカメラをドック装置の上に置くだけで、セキュリティのためのＩＤ認証が一義的に確実に行えるとともに、そのまま置いておくことで、二次電池の充電が行われるという簡便なシステムが実現可能となる。
【課題を解決するための手段】
【０００８】
本発明は、携帯端末装置と、基地局装置とを有し、前記携帯端末装置と前記基地局装置との間でデータ通信を行う通信システムであって、前記基地局装置は、前記携帯端末装置に無線で電力を送信する電力送信手段と、前記携帯端末装置とデータ送受する基地局側通信手段とを有し、前記携帯端末装置は、前記基地局装置から無線送信された電力を受信する電力受信手段と、前記基地局装置とデータ送受する端末側通信手段と、前記基地局側装置に送信すべきデータを記憶するデータ記憶手段とを有し、前記端末側通信手段は、前記基地局側通信手段に対して電力送信要求コマンドを送信し、前記電力送信手段は、前記基地局側通信手段で前記端末側通信手段からの前記電力送信要求コマンドを受信した場合に無線で電力を送信し、前記端末側通信手段は、前記基地局装置から無線送信された電力を前記電力受信手段で受信した場合に、前記基地局装置に対して前記データ記憶手段に記憶されたデータを送信する。
【０００９】
また、本発明は、デジタルカメラに記憶された撮像データをプリンタドックあるいは画像データのストレージ機能を有するドック装置（プリンタドックとストレージドック装置を総称してドック装置という）に送信する通信システムであって、前記ドック装置は、前記デジタルカメラに無線で電力を送信する電力送信手段と、前記デジタルカメラとデータ送受するドック側通信手段と、自己のＩＤを記憶するＩＤ記憶手段と、前記デジタルカメラから送信された撮像データを印刷あるいは撮像データを記憶する手段とを有し、前記デジタルカメラは、前記ドック装置から無線送信された電力を受信する電力受信手段と、前記ドック装置とデータ送受するカメラ側通信手段と、前記ドック装置に送信すべき撮像データを記憶する撮像データ記憶手段と、データ通信可能な範囲内に存在するドック装置を検出してそのＩＤを取得するＩＤ取得手段とを有し、前記カメラ側通信手段は、前記ＩＤ取得手段で取得したＩＤを用いて前記ドック装置に対して電力送信要求コマンドを順次送信し、前記電力送信手段は、前記ドック側通信手段で前記カメラ側通信手段からの前記電力送信要求コマンドを受信した場合に無線で電力を送信し、前記カメラ側通信手段は、前記ドック装置から無線送信された電力を前記電力受信手段で受信した場合に、電力送信元のドック装置の前記ＩＤを用いてデータ通信先を設定し、前記ドック装置に対して前記撮像データ記憶手段に記憶された撮像データを送信する。
【００１０】
また、本発明は、ドック装置とデータ通信を行うデジタルカメラであって、無線送信された電力を受信する電力受信手段と、データ通信可能な範囲内に存在するドック装置を検出してそのＩＤを取得するＩＤ取得手段と、前記ＩＤ取得手段で取得したＩＤを用いて前記ドック装置に対して電力送信要求コマンドを順次送信し、前記電力送信要求コマンドに応じて送信された電力を前記電力受信手段で受信した場合に、電力を送信してきた前記ドック装置の前記ＩＤを用いてデータ通信すべきドック装置を特定し、特定したドック装置に撮像データを送信するデータ通信手段とを有する。
【００１１】
また、本発明は、デジタルカメラに対して電力を供給するとともに前記デジタルカメラ内の撮像データを入力して印刷または記憶するドック装置であって、自己のＩＤを記憶するＩＤ記憶手段と、前記デジタルカメラからの要求に応じて前記ＩＤを送信する手段と、前記ＩＤを特定した電力送信要求に応じて前記デジタルカメラに電力を無線送信する電力送信手段と、前記電力を受信したデジタルカメラから送信された、前記ＩＤを特定した前記撮像データを受信する手段と、前記撮像データを印刷または記憶する手段とを有する。
【００１２】
本発明では、データの通信先を特定する際に、基地局装置あるいはプリンタドックから無線送信された電力の受信をトリガとして通信先を特定する。データ通信に先立ち、携帯端末装置あるいはデジタルカメラから基地局装置あるいはプリンタドックに電力送信要求を送信し、この要求に応じて電力が送信され、この送信電力を受信した場合、電力を送信してきた基地局装置あるいはプリンタドックを通信相手先として特定する。
【発明の効果】
【００１３】
本発明によれば、無線送信された電力を受信することで通信相手先を特定するため、簡易に、かつ、確実に通信相手先を特定できる。したがって、デジタルカメラの撮像データをプリンタドックに送信して印刷する場合でも、電力を送受信できる特定のプリンタドックに対してのみ撮像データを送信できる。
【発明を実施するための最良の形態】
【００１４】
以下、図面に基づき本発明の実施形態について、デジタルカメラとプリンタドックを例にとり説明する。
【００１５】
図１に、本実施形態の通信システムの概念構成を示す。通信システムは、デジタルカメラ１０とプリンタドック１２から構成される。
【００１６】
デジタルカメラ１０は、その内部にリチウムイオン電池あるいはニッケル水素電池等の二次電池を有する。撮影された画像データは内部のフラッシュメモリに格納される。画像データを印刷する場合、ユーザはデジタルカメラ１０をプリンタドック１２の近傍に配置する。
【００１７】
プリンタドック１２は、デジタルカメラ１０のメモリに格納された画像データを受信して印刷する印刷機能と、デジタルカメラ１０に電力を供給する機能を有する。デジタルカメラ１０をプリンタドック１２近傍にセットすると、デジタルカメラ１０の電源は内蔵の二次電池ではなくプリンタドック１２側から無線供給される。デジタルカメラ１０とプリンタドック１２との間で通信が確立された状態でプリントボタン２０を操作すると、デジタルカメラ１０のメモリに格納された画像データに基づいて印刷処理が実行され、用紙トレイ１８に予めセットされた用紙に印刷されて出力される。印刷処理では、印刷が完了して排紙されるまでに用紙が複数回（例えば４回）往復し、順次イエロー、マゼンダ、シアンの層が印刷され、最後に保護層がコーティングされて排紙される。印刷すべき画像の選択は、プリントボタン２０の近傍に配置された選択ボタンの操作により行われる。選択ボタンを操作することで、デジタルカメラ１０の背面ＬＣＤには撮影画像が順次表示され、ユーザはＬＣＤを視認して印刷すべき画像を確認する。印刷画像サイズは画像サイズボタン２２を操作することで切替られ、現在の画像サイズは画像サイズ表示部２４に表示される。充電時には、充電状態が充電表示部１４に表示される。充電状態は、デジタルカメラ１０のプロセッサが検出し、無線でプリンタドック１２に送信する。充電表示部１４は、直線上に配列した３個のＬＥＤから構成され、充電状態に応じて発光するＬＥＤの数が制御される。すなわち、充電初期には１個のＬＥＤが発光し、充電が進むにつれて２個、３個のＬＥＤが発光する。３個のＬＥＤの発光で充電完了を示す。なお、プリンタドック１２にはコンピュータに接続するためのＵＳＢコネクタ２６が設けられている。プリンタドック１２をコンピュータに接続して転送ボタン１６を操作すると、画像データはプリンタドック１２からコンピュータに転送され、この場合、プリンタドック１２はデジタルカメラ１０とコンピュータとを接続するＵＳＢハブとして機能する。また、ＵＳＢ接続により、プリンタドック１２はコンピュータから制御できるプリンタとしても機能する。さらに、プリンタドック１２は、ＰｉｃｔＢｒｉｄｇｅ互換のデジタルカメラを接続するためのＵＳＢコネクタもまた有する。
【００１８】
図２は、図１におけるデジタルカメラ１０とプリンタドック１２の構成ブロック図を示す。
【００１９】
デジタルカメラ１０は、電力受信系とデータ送受信系の２系統の回路を有する。なお、
撮影のための構成、例えば光学レンズやシャッタ、絞り、ＣＣＤやＣＭＯＳ等の撮像素子、ホワイトバランス処理やエッジ処理等の画像処理を行う画像処理プロセッサ、撮像データを記憶するフラッシュメモリ等のメモリ、ファインダ、ＬＣＤ、各種操作ボタン等は従来のデジタルカメラと同様であるため省略してある。電力受信系は、受信コイル１０ａと、ＡＣ／ＤＣコンバータ１０ｂと、二次電池１０ｃを有し、データ送受信系は、アンテナ１０ｄと、通信回路１０ｅを有する。受信コイル１０ａは、プリンタドック１２から無線送信された電力を受信する。電力受信系のＡＣ／ＤＣコンバータ１０ｂ及びデータ通信系の通信回路１０ｅは、マイクロプロセッサ１０ｆからの制御信号により制御される。受信コイル１０ａで受信された電力（交流電力）はＡＣ／ＤＣコンバータ１０ｂに供給される。ＡＣ／ＤＣコンバータ１０ｂは、交流電力を直流電力に変換して二次電池１０ｃに供給し、二次電池１０ｃを充電する。また、ＡＣ／ＤＣコンバータ１０ｂは、デジタルカメラ１０の各部に動作電力を供給する。
【００２０】
通信回路１０ｃは、プリンタドック１２側の通信回路とデータ通信するための回路で、通信可能範囲内にあるプリンタドック１２を検出してそのＩＤを取得し、ＩＤを用いて電力送信要求コマンドをプリンタドック１２に送信する。また、プリンタドック１２から電力が送信され、電力受信系で受信した場合、この電力受信をトリガとして通信相手先を特定して通信相手先のＩＤをメモリ１０ｇに登録し、登録したＩＤを用いてデジタルカメラ１０のメモリに記憶された撮像データをプリンタドック１２に送信する。通信回路１０ｅによる通信方式は任意であり、２．４ＧＨｚの電磁波あるいは赤外線でもよい。
【００２１】
プリンタドック１２は、電力送信系とデータ送受信系の２系統の回路を有する。なお、撮像データを用いて用紙に印刷する印刷系は従来のプリンタと同様であるため省略してある。電力送信系は、電力供給部１２ａと、送信回路１２ｂと、送信コイル１２ｃを有する。電力供給部１２ａは、外部交流電源を直流電源に変換するコンバータ、ＤＣ／ＤＣコンバータ等を含み、直流電力を送信回路１２ｂに供給する。送信回路１２ｂは、プロセッサ１２ｄからの制御指令（デジタルカメラ１０から電力送信要求を受信したタイミングでなされる制御指令）に応じて送信コイル１２ｃを駆動し、電力を無線送信する。データ送受信系は、通信回路１２ｅ及びアンテナ１２ｆを有する。通信回路１２ｅは、デジタルカメラ１０の通信回路１０ｅから送信された電力送信要求コマンドを受信すると、プロセッサ１２ｄにコマンド受信を送信する。プロセッサ１２ｄは、コマンド受信に応答して送信回路１２ｂに指令し、電力送信を開始する。また、通信回路１２ｅは、電力を送信したデジタルカメラ１０の通信回路１０ｅから自己のＩＤを特定した撮像データが送信されるとこれを受信し、印刷回路に供給する。自己のＩＤはメモリ１２ｇに格納されており、プロセッサ１２ｄでメモリ１２ｇから読み出されて通信回路１２ｅ及びアンテナ１２ｆを介してデジタルカメラ１０に送信される。ファイルメモリ（ストレージ装置）１２ｈは、通信回路１２ｅが受信したデジタルカメラから送信された撮像データを記憶する。プリンタドック１２がＵＳＢ等でパーソナルコンピュータと接続された場合、パーソナルコンピュータとの間でファイルメモリ１２ｈ上にこれらの画像データが読み書きできることは言うまでもない。
【００２２】
以下、デジタルカメラ１０とプリンタドック１２間のデータ通信について、より詳細に説明する。
【００２３】
図３は、デジタルカメラ１０側の処理フローチャートを示す。まず、ユーザがデジタルカメラ１０の電源をオンにすると（Ｓ１０１）、プロセッサ１０ｆは一定時間毎に無線送信し、通信可能な範囲内にあるプリンタドック１２を検出する（Ｓ１０２）。すなわち、通信回路１０ｅを制御してアンテナ１０ｄから一定時間毎にＩＱ（Inquiry）パケットをブロードキャストし、プリンタドック１２からこのＩＱパケットに対する応答パケットを受信することで、通信可能範囲内にあるプリンタドック１２を検出する。プリンタドック１２を検出できない場合には引き続き一定時間毎に無線送信し（Ｓ１０３でＮＯ）、プリンタドック１２を検出した場合には（Ｓ１０３でＹＥＳ）、通信回路１０ｅは応答パケットを送信してきたプリンタドック１２に対してＩＤリクエストを送信する（Ｓ１０４）。プリンタドック１２のアンテナ１２ｆ及び通信回路１２ｅは、このＩＤリクエストを受信してプロセッサ１２ｄに供給する。プロセッサ１２ｄは、この要求に応じてメモリ１２ｇから自己のＩＤを読み出し、通信回路１２ｅ及びアンテナ１２ｆを介してデジタルカメラ１０に送信する。デジタルカメラ１０の通信回路１０ｅは、プリンタドック１２から送信されたＩＤを受信し、プロセッサ１０ｆに供給する。プロセッサ１０ｆは、ＩＤをメモリ１０ｇに格納する。通信可能な範囲内に複数のプリンタドック１２が存在する場合、複数のＩＤがメモリ１０ｇに記憶される。いま、通信可能な範囲内に２個のプリンタドック１２Ａ、１２Ｂが存在し、それぞれのＩＤがＩＤａ及びＩＤｂであるとする。
【００２４】
通信可能な範囲内にあるプリンタドック１２を検出し、プリンタドック１２のＩＤを取得した後、各プリンタドック１２に対して順次電力送信リクエスト（電力送信要求コマンド）を送信する（Ｓ１０６）。具体的には、ＩＤａ及びＩＤｂが存在する場合、まずＩＤａを含めて電力送信リクエストを送信し、一定時間の間、電力受信系で電力が受信されることを確認する（Ｓ１０７）。一定時間経過しても電力受信系で電力を受信できない場合（Ｓ１０７でＮＯ）、当該ＩＤに対して電力送信停止コマンドを送信した後に、次にＩＤｂを含めて電力送信リクエストを送信し、再び一定時間の間、電力受信系で電力が受信されることを確認する。ＩＤａを含めて電力送信リクエストを送信し、プリンタドック１２Ａの通信回路１２ｅがこの電力送信リクエストを受信すると、プロセッサ１２ｄは自己のＩＤと電力送信リクエスト内のＩＤとを照合する。照合の結果、自己のＩＤに一致すると判定すると、送信回路１２ｂを駆動して電力を無線送信する。デジタルカメラ１０の受信コイル１０ａは、送信コイル１２ｃからの無線電力を受信し、ＡＣ／ＤＣコンバータ１０ｂで直流電力に変換して二次電池１０ｃに供給する。プロセッサ１０ｆは、電力受信系で電力を受信したことを確認すると（Ｓ１０７でＹＥＳ）、当該ＩＤ（この場合にはＩＤａ）をメモリ１０ｇに再度登録し、電力受信を確認できなかったＩＤをメモリ１０ｇから削除する（Ｓ１０８）。
【００２５】
以上のようにして、メモリ１０ｇには電力を送信してきたプリンタドック１２のＩＤが格納されることとなり、プロセッサ１０ｆは、メモリから撮像データを読み出し、通信相手先としてメモリ１０ｇに格納されているＩＤ（この場合にはＩＤａ）を含めて無線送信する（Ｓ１０９）。プリンタドック１２Ａのプロセッサ１２ｄは、デジタルカメラ１０から無線送信された撮像データに付加されているＩＤと自己のＩＤとを照合し、自己宛の撮像データであることを確認した後に、撮像データを印刷系に供給して印刷を行う。また、プロセッサ１０ｆは、二次電池１０ｃの充電状態（ＳＯＣ）を検出し、通信回路１０ｅ及びアンテナ１０ｄを介してプリンタドック１２に送信する。
【００２６】
このように、本実施形態では、通信可能な範囲内に存在するプリンタドック１２に対して電力送信要求を出力し、この電力送信要求に応答して電力を無線送信してきたプリンタドックを通信の相手先として特定し、撮像データを無線送信する。したがって、通信可能な範囲内に１個のプリンタドック１２が存在する場合には、そのプリンタドック１２から電力供給を受けて二次電池を充電するとともに撮像データを送信して印刷でき、通信可能な範囲内に複数個のプリンタドック１２が存在する場合でも、電力を無線送信してきたプリンタドック１２に対してのみ撮像データを送信して印刷できる。通信可能範囲内にあるプリンタドック１２のうち、電力を送受信できるプリンタドック１２のＩＤのみが自動設定されることとなるため、通信相手先を特定するためのテンキーや表示部等は不要化される。なお、本実施形態における電力受信は通信相手先を特定するためのトリガであるから、一旦電力を受信して当該プリンタドック１２のＩＤをメモリ１０ｇに登録した後は、たとえデジタルカメラ１０とプリンタドック１２が電力送受可能な範囲から外れたとしても、データ通信は引き続き継続する。デジタルカメラ１０の電源がＯＦＦされた場合、あるいはデータ通信可能な範囲内にプリンタドック１２が存在しなくなった場合、再びＳ１０１以降の処理が繰り返され、新たなＩＤがメモリ１０ｇに登録される。
【００２７】
図４及び図５に、本実施形態の他の処理フローチャートを示す。図４は、スタンバイ（待ち受け）状態の処理フローチャートであり、図５は、スタンバイ状態後の通常動作状態において任意タイミングで実施される認証処理フローチャートである。両図において、説明の都合上、デジタルカメラ１０側の処理と、プリンタドック１２側の処理とを左右に分けて示しており、さらに、各処理ステップに添字を付して区別している。Ｓ１０１ｐ等の添字「ｐ」はプリンタドック１２側の処理を示し、Ｓ１０２ｄ等の添字「ｄ」はデジタルカメラ１０側の処理を示す。
【００２８】
図４において、プリンタドック１２は、スタンバイ状態においてユーザがデジタルカメラ１０をプリンタドック１２上に配置してから動作表示されるまでに違和感を感じないような比較的短い一定時間毎に電力送信を繰り返す（Ｓ２０１ｐ）。一方、デジタルカメラ１０は、電力を受信すると（Ｓ２０２ｄ）、その制御回路がスタンバイ状態であっても一旦ウェイクアップ（ｗａｋｅ  ｕｐ）するように構成されている（Ｓ２０３ｄ）。電力受信によりウェイクアップすると、まず自身のＩＤ（デジタルカメラ１０のＩＤをＩＤ１とする）を無線送信する（Ｓ２０４ｄ）。このＩＤ１は、携帯機器（デジタルカメラ）であることを示すカテゴリー情報と、デジタルカメラ１０毎に重複しないように付与されたＩＤ情報とから構成される。プリンタドック１２は、電力送信から所定時間内にＩＤ１を受信したか否かを判定し（Ｓ２０５ｐ、Ｓ２０６ｐ）、電力送信から所定時間内にＩＤ１を検出しない場合には電力送信をＯｆｆとし（Ｓ２０８ｐ）、タイマーで一定時間をカウントした後に（Ｓ２０９ｐ）、再び電力送信を行う（Ｓ２０１ｐ）。
【００２９】
電力送信から所定時間内にＩＤ１を受信した場合には、受信したＩＤ１が既にメモリに記憶されているＩＤ１と等しいか否か、つまり新しい相手か否かを判定する（Ｓ２０７ｐ）。既に記憶されているＩＤ１と等しい場合には、所定時間内にＩＤ１を受信しない場合と同様に電力送信をＯｆｆとし、一定時間後に再び電力送信を行うスタンバイ状態に移行する（Ｓ２０８ｐ、Ｓ２０９ｐ、Ｓ２０１ｐ）。受信したＩＤ１が新しいＩＤである場合、プリンタドック１２は自身のＩＤ（プリンタドック１２のＩＤをデジタルカメラ１０のＩＤと区別するためにＩＤ２とする）であるＩＤ２を送信する（Ｓ２１０ｐ）。ＩＤ２も基地局装置（プリンタドック）であることを示すカテゴリー情報と、プリンタドック毎に重複しないように付与されたＩＤ情報とから構成される。また、デジタルカメラ１０のＩＤ１をメモリに記憶する（Ｓ２１１ｐ）。
【００３０】
デジタルカメラ１０は、プリンタドック１２から無線送信されたＩＤ２を受信すると（Ｓ２１２ｄ）、このＩＤ２をメモリの所定領域に格納し（Ｓ２１３ｄ）、以後、ファイル送信などのデータ送受信はこのＩＤ２情報をパケットに埋め込むことで行い、ＩＤ２で示されるプリンタドック１２のみが受信できるようにする。
【００３１】
図５において、デジタルカメラ１０は、通常動作状態の任意のタイミングで、プリンタドック１２に対して電力送信ＯｆｆコマンドとＩＤ２送信コマンドを送信する（Ｓ３０１ｄ、Ｓ３０２ｄ）。なお、図では、電力送信Ｏｆｆコマンド後にＩＤ２送信コマンドを送信しているが、相前後して送信されればよく、ＩＤ２送信コマンド後に電力送信Ｏｆｆコマンドを送信してもよい。プリンタドック１２は、これらのコマンドを受信し、電力送信をＯｆｆとするとともに（Ｓ３０３ｐ）、自身のＩＤ２を無線送信する（Ｓ３０４ｐ）。
【００３２】
デジタルカメラ１０は、ＩＤ２送信コマンドを送信して所定時間内にプリンタドック１２からＩＤ２情報が送信されてきた場合には、これを受信し（Ｓ３０５ｄ）、既にメモリに記憶されているＩＤ２（図４のＳ２１３ｄ参照）と照合する（Ｓ３０６ｄ）。照合の結果、メモリに記憶されているＩＤ２と一致する場合には、一旦認証したプリンタドック１２であるからデータ送信許可フラグをセットして（Ｓ３１２ｄ）、通常動作に復帰する。メモリに記憶されているＩＤ２と異なる場合あるいは記憶値が存在しない場合には、受信したＩＤ２のプリンタドック１２に（複数あればＩＤ２毎の順番に）電力送信コマンドを送信し（Ｓ３０７ｄ及びＳ３１０ｄ）、電力が受信されるのを待つ。プリンタドック１２側では、電力送信コマンドを受信すると、電力送信をＯｎとする（Ｓ３０８ｐ）。デジタルカメラ１０側は、電力送信コマンドを送信してから所定時間内に電力を受信すれば（Ｓ３０９ｄ）、電力送信を指示したプリンタドック１２とドッキング状態であるので、以後はこのＩＤ２情報をデータ送受信相手のＩＤとして記憶するとともに（Ｓ３１１ｄ）、データ送信許可フラグをセットして（Ｓ３１２ｄ）、通常動作に復帰する。
【００３３】
一方、所定時間内に電力を受信しない場合には、認証されたプリンタドック１２が近傍にないということになるから、データ送信許可フラグをリセットして（Ｓ３１３ｄ）、通常動作に復帰する。
【００３４】
以上のようにして、電力を受信したプリンタドック１２のＩＤ２がメモリに記憶され、データ送信許可フラグがセットされる。デジタルカメラ１０の動作において、ユーザ等の操作によりデータ送信を行う場合、データ送信許可フラグがセットされているか否かを判定し、データ送信許可フラグがセットされている場合にはメモリに記憶されているＩＤ２を埋め込んでデータを送信し、データ送信許可フラグがセットされていない場合にはユーザに対して認証したプリンタドック１２が存在しない（電源がＯｎされていないか、認証が行われていないか、通信範囲内に存在しない）ことを報知してデータ送信を行わない。
【００３５】
以上、本発明の実施形態について説明した。本発明の携帯機器は、前述のとおり、電力を受信すると制御回路がスタンバイ状態であっても一旦ウェイクアップして認証を行うように構成されているため、省電力化された携帯機器でも特別の操作をすることなく、基地局装置上に置くだけで通信が開始される。しかし、本発明はこれらに限定されるものではなく種々の変更が可能である。
【００３６】
例えば、本実施形態では、通信可能範囲内にあるプリンタドック１２のＩＤをメモリ１０ｇに記憶し、その後、電力を無線送信してきたプリンタドック１２のＩＤのみをメモリ１０ｇに残してそれ以外のＩＤは削除しているが、電力を無線送信してきたプリンタドック１２のＩＤにフラグを設定して通信相手先を特定してもよく、それ以外のＩＤをメモリ１０ｇから削除することなくそのまま残してもよい。
【００３７】
また、本実施形態では、通信可能範囲内にあるプリンタドック１２を検出した後にＩＤリクエストを送信してＩＤを取得しているが、ＩＱパケットをブロードキャストし、これに対する応答にプリンタドック１２の属性データが含まれている場合、この属性データをＩＤとして取得してもよい。
【００３８】
また、本実施形態において、複数のプリンタドック１２から電力が送信されてきた場合、最も受信電力の大きいプリンタドック１２を通信相手先として特定してもよい。例えば、ＩＤａを含めて電力送信リクエストを送信し、これに対してプリンタドック１２Ａから電力が送信されてその受信電力がＰａであり、次にＩＤｂを含めて電力送信リクエストを送信し、これに対してプリンタドック１２Ｂから電力が送信されてその受信電力がＰｂである場合、ＰａとＰｂとを大小比較し、Ｐａ＜ＰｂであればＩＤｂをメモリ１０ｇに登録しプリンタドック１２Ｂを通信相手先として特定してもよい。
【００３９】
また、本実施形態において、あるＩＤに対して電力送信リクエストを送信して受信電力を検出した場合、その受信電力が所定のしきい値以上か否かを判定し、所定のしきい値以上であれば当該ＩＤをメモリ１０ｇに登録して通信相手先とし、所定のしきい値より小さい場合に次のＩＤに対して電力送信リクエストを送信して受信電力を検出してもよい。所定のしきい値以上の受信電力を検出したＩＤを通信相手先として特定する。所定のしきい値をデジタルカメラ１０の二次電池１０ｃの残容量に応じて適応的に設定してもよい。残容量が少ない場合には充電の必要性が高いためしきい値を増大させる。これにより、充電及びデータ通信をともに満足し得る。なお、充電及びデータ通信は同時に行ってもよいが、データ通信時のノイズ混入を考慮すると異なるタイミングで実行することが好適であろう。充電制御とデータ通信を異なるタイミングで実行する場合、具体的には以下のように制御する。すなわち、プロセッサ１０ｆは二次電池１０ｃの残容量をモニタし、データ通信に必要な容量があるか否かを判定する。データ通信に必要な容量があればデータ通信を行い、データ通信完了後にプリンタドック１２（認証したプリンタドック１２）からの電力で二次電池１０ｃを充電する。一方、データ通信に必要な容量がなければ、まず認証したプリンタドック１２からの電力で二次電池１０ｃを充電し、その後にデータ通信を実行する。二次電池１０ｃを満充電してからデータ通信を開始してもよく、データ通信に必要な容量だけ充電された時点で充電を一旦中断してデータ通信を開始し、データ通信完了後に再び充電を再開してもよい。二次電池１０ｃの残容量、あるいは満充電状態となるまでの予想時間に応じて制御を切り替えてもよい。残容量が少なく満充電状態となるまでの予想時間が所定時間以上であればデータ通信に必要な容量まで充電した後に充電を中断してデータ通信を開始し、残容量が比較的多く満充電状態となるまでの予想時間が所定時間を下回るのであれば満充電状態となるまで充電し、その後にデータ通信を行う。満充電状態となるまで所定時間以上を要する場合、充電制御とデータ通信を時分割で、あるいは間欠的に実行してもよい。データ通信に必要な電力がなく充電を行ってからデータ通信を開始する場合、デジタルカメラ１０の液晶ディスプレイ等にその旨（データ通信に必要な電力が不足しているため充電を開始する旨）を表示してもよい。二次電池１０ｃを充電してからデータ通信を行う場合、認証したプリンタドック１２以外にプリンタドック１２が存在する場合、認証していない（つまりデータ通信先でない）プリンタドック１２からの電力を利用して充電してもよい。充電制御とデータ通信制御を図５のフローチャートに即して説明すると以下のとおりである。Ｓ３０６ｄでＩＤ２が一致する場合、あるいはＳ３０９ｄで電力受信しＩＤ２をメモリに記憶した場合にはＳ３１２ｄでデータ送信許可フラグをセットするが、フラグをセットする際に、二次電池１０ｃの残容量を検出してしきい値以上あるか否かを判定する。判定のしきい値はデフォルト値で固定してもよく、ユーザが任意に設定してもよい。デジタルカメラ１０からプリンタドック１２に送信すべき撮影データのデータ量あるいは画像フォーマットに応じてしきい値を変えてもよい。残容量がしきい値以上である場合、データ通信に必要な容量があるとしてデータ送信許可フラグをセットする。残容量がしきい値より小さい場合には、データ通信に必要な容量が不足しているとしてデータ送信許可フラグをセットせず（リセット状態のまま）、充電フラグをセットする。データ送信許可フラグは、充電フラグに応じて二次電池１０ｃを充電し、その残容量がしきい値以上となった場合にセットする。データ通信中は充電フラグをリセットして充電を中断し、データ通信完了後に再び充電を再開して満充電状態とする。
【００４０】
また、本実施形態において、二次電池１０ｃの残容量に応じて通信相手先を特定するアルゴリズムを変更してもよい。例えば、二次電池１０ｃの残容量が所定値以下であって充電が必要と判定された場合には上記のように電力を送信してきたプリンタドック１２を通信相手先に特定し、二次電池１０ｃの残容量が所定値を超え充電が不要と判定された場合には、通信可能な範囲内にある任意のプリンタドック１２を通信相手先に特定する等である。
【００４１】
なお、通信可能範囲内にプリンタドック１２Ａ及びプリンタドック１２Ｂが存在し、プリンタドック１２Ａが通信相手先として特定された場合、プリンタドック１２Ａの充電表示部１４が点灯してプリンタドック１２Ａによりデジタルカメラ１０の充電が行われていることが報知されるため、ユーザはいずれのプリンタドックで撮像データが印刷されるかを容易に視認することができる。
【００４２】
本実施形態では、携帯端末装置としてデジタルカメラを例示したが、携帯電話機や携帯情報端末等でもよい。また、基地局装置としてプリンタドックを例示したが、充電機能及びデータ送受信機能を有するクレードル等でもよい。
【図面の簡単な説明】
【００４３】
【図１】実施形態のシステム概念図である。
【図２】実施形態の構成ブロック図である。
【図３】実施形態の処理フローチャートである。
【図４】実施形態の他の処理フローチャート（スタンバイ状態）である。
【図５】実施形態の通常動作状態における認証処理フローチャートである。
【符号の説明】
【００４４】
１０  デジタルカメラ、１０ａ  受信コイル、１０ｂ  ＡＣ／ＤＣコンバータ、１０ｃ  二次電池、１０ｄ  アンテナ、１０ｅ、通信回路（デジタルカメラ側）、１０ｆ  プロセッサ（デジタルカメラ側）、１０ｇ  メモリ（デジタルカメラ側）、１２  プリンタドック、１２ａ  電力供給部、１２ｂ  送信回路、１２ｃ  送信コイル、１２ｄ  プロセッサ（プリンタドック側）、１２ｅ  通信回路（プリンタドック側）、１２ｆ  アンテナ。
【図１】
2006229583.tif 000003
【図２】
2006229583.tif 000004
【図３】
2006229583.tif 000005
【図４】
2006229583.tif 000006
【図５】
2006229583.tif 000007